(57)【要約】【課題】装置全体の高さを抑制できる画像形成装置を得る。【解決手段】画像形成をする画像形成部を備えた画像形成装置本体１０Ａと、画像形成装置本体１０Ａの上部側に配置され、画像を読み取る画像読取装置１００と、画像形成装置本体１０Ａに設けられた第１壁９２Ａ、９４Ａと、画像読取装置１００に設けられ、第１壁９２Ａ、９４Ａと上下方向でオーバーラップする第２壁１２２Ｃ、１２２Ｄと、第１壁９２Ａ、９４Ａと第２壁１２２Ｃ、１２２Ｄとに上下方向でオーバーラップするように、画像形成装置本体１０Ａに設けられ、画像形成装置本体１０Ａに対して画像読取装置１００を支持する支持部材１３２、１３４と、を備えた画像形成装置１０とする。【選択図】図３
2015186133.tif 000002
【特許請求の範囲】
【請求項１】
画像形成をする画像形成部を備えた画像形成装置本体と、
前記画像形成装置本体の上部側に配置され、画像を読み取る画像読取装置と、
前記画像形成装置本体に設けられた第１壁と、
前記画像読取装置に設けられ、前記第１壁と上下方向でオーバーラップする第２壁と、
前記第１壁と前記第２壁とに上下方向でオーバーラップするように、前記画像形成装置本体又は前記画像読取装置に設けられ、前記画像形成装置本体に対して前記画像読取装置を支持する支持部材と、
を備えた画像形成装置。
【請求項２】
前記第１壁と前記第２壁は、前記支持部材を挟んでオーバーラップするとともに、板金を曲げることによって形成されている請求項１に記載の画像形成装置。
【請求項３】
ヒンジ部によってプラテンガラスを開閉可能に構成された開閉部を有し、画像形成装置本体の上部側に配置された画像読取装置と、
前記画像形成装置本体の前記ヒンジ部側に前記ヒンジ部の軸方向に沿って配置された第１立壁と、
前記画像読取装置の前記ヒンジ部側に前記ヒンジ部の軸方向に沿って配置された第２立壁と、
平面視で、前記第１立壁と前記第２立壁とにオーバーラップするように、前記画像形成装置本体又は前記画像読取装置に設けられ、前記画像形成装置本体に対して前記画像読取装置を支持する支持部材と、
を備えた画像形成装置。
【請求項４】
前記画像読取装置は、移動する光照射部と固定配置された結像系とを備え、
前記支持部材は、前記光照射部と前記結像系を挟んで前記光照射部の移動方向に離れて複数形成されるとともに、前記画像読取装置に設けられた前記結像系に近い一方側が、他方側よりも耐震性が高くなるように形成されている請求項１〜請求項３の何れか１項に記載の画像形成装置。
【請求項５】
前記画像読取装置は、移動する光照射部を備え、
前記支持部材は、弾性体で前記光照射部の移動方向に離れて複数形成されるとともに、各々の周波数特性が異なるように形成されている請求項１〜請求項４の何れか１項に記載の画像形成装置。
【請求項６】
前記画像読取装置は、移動する光照射部を備え、
前記光照射部は、移動方向と垂直な方向へ光を照射し、
前記支持部材は、前記光照射部の移動方向及び前記光の照射方向と垂直な方向に、同じ厚みのものが複数形成されている請求項１〜請求項５の何れか１項に記載の画像形成装置。
【請求項７】
前記支持部材は、前記画像形成装置本体に設けられ、前記支持部材の上面の面積が下面の面積よりも小さくされている請求項１〜請求項６の何れか１項に記載の画像形成装置。
【請求項８】
前記支持部材は、前記画像形成装置本体に形成されたＵ字状の折曲構造部に設けられている請求項１〜請求項７の何れか１項に記載の画像形成装置。
【発明の詳細な説明】
【技術分野】
【０００１】
本発明は、画像形成装置に関する。
【背景技術】
【０００２】
画像読取装置が、左右方向一側部の前後方向前側と、左右方向一側部の前後方向後側と、左右方向他側部の前後方向中央部と、で支持された構造は、従来から知られている（例えば、特許文献１参照）。
【先行技術文献】
【特許文献】
【０００３】
【特許文献１】特開２００５−２６０６６５号公報
【発明の概要】
【発明が解決しようとする課題】
【０００４】
本発明は、装置全体の高さを抑制できる画像形成装置を得ることを目的とする。
【課題を解決するための手段】
【０００５】
上記の目的を達成するために、本発明に係る請求項１に記載の画像形成装置は、画像形成をする画像形成部を備えた画像形成装置本体と、前記画像形成装置本体の上部側に配置され、画像を読み取る画像読取装置と、前記画像形成装置本体に設けられた第１壁と、前記画像読取装置に設けられ、前記第１壁と上下方向でオーバーラップする第２壁と、前記第１壁と前記第２壁とに上下方向でオーバーラップするように、前記画像形成装置本体又は前記画像読取装置に設けられ、前記画像形成装置本体に対して前記画像読取装置を支持する支持部材と、を備えている。
【０００６】
また、請求項２に記載の画像形成装置は、請求項１に記載の画像形成装置であって、前記第１壁と前記第２壁は、前記支持部材を挟んでオーバーラップするとともに、板金を曲げることによって形成されている。
【０００７】
また、本発明に係る請求項３に記載の画像形成装置は、ヒンジ部によってプラテンガラスを開閉可能に構成された開閉部を有し、画像形成装置本体の上部側に配置された画像読取装置と、前記画像形成装置本体の前記ヒンジ部側に前記ヒンジ部の軸方向に沿って配置された第１立壁と、前記画像読取装置の前記ヒンジ部側に前記ヒンジ部の軸方向に沿って配置された第２立壁と、平面視で、前記第１立壁と前記第２立壁とにオーバーラップするように、前記画像形成装置本体又は前記画像読取装置に設けられ、前記画像形成装置本体に対して前記画像読取装置を支持する支持部材と、を備えている。
【０００８】
また、請求項４に記載の画像形成装置は、請求項１〜請求項３の何れか１項に記載の画像形成装置であって、前記画像読取装置は、移動する光照射部と固定配置された結像系とを備え、前記支持部材は、前記光照射部と前記結像系を挟んで前記光照射部の移動方向に離れて複数形成されるとともに、前記画像読取装置に設けられた前記結像系に近い一方側が、他方側よりも耐震性が高くなるように形成されている。
【０００９】
また、請求項５に記載の画像形成装置は、請求項１〜請求項４の何れか１項に記載の画像形成装置であって、前記画像読取装置は、移動する光照射部を備え、前記支持部材は、弾性体で前記光照射部の移動方向に離れて複数形成されるとともに、各々の周波数特性が異なるように形成されている。
【００１０】
また、請求項６に記載の画像形成装置は、請求項１〜請求項５の何れか１項に記載の画像形成装置であって、前記画像読取装置は、移動する光照射部を備え、前記光照射部は、移動方向と垂直な方向へ光を照射し、前記支持部材は、前記光照射部の移動方向及び前記光の照射方向と垂直な方向に、同じ厚みのものが複数形成されている。
【００１１】
また、請求項７に記載の画像形成装置は、請求項１〜請求項６の何れか１項に記載の画像形成装置であって、前記支持部材は、前記画像形成装置本体に設けられ、前記支持部材の上面の面積が下面の面積よりも小さくされている。
【００１２】
また、請求項８に記載の画像形成装置は、請求項１〜請求項７の何れか１項に記載の画像形成装置であって、前記支持部材は、前記画像形成装置本体に形成されたＵ字状の折曲構造部に設けられている。
【発明の効果】
【００１３】
請求項１に記載の発明によれば、画像形成装置本体と画像読取装置とはオーバーラップさせているが、支持部材がオーバーラップさせていない部分に設けられた構成に比べて、装置全体の高さを抑制することができる。
【００１４】
請求項２又は請求項８に記載の発明によれば、近傍に曲げが無い平面で画像読取装置を支持する構成に比べて、画像形成装置本体の上部又は画像読取装置の変形を抑制することができる。
【００１５】
請求項３に記載の発明によれば、画像形成装置本体に対して画像読取装置を支持する支持部材が、平面視で、第１立壁と第２立壁とにオーバーラップしていない構成に比べて、画像読取装置を支持する画像形成装置本体の上部側の変形を抑制することができる。
【００１６】
請求項４に記載の発明によれば、画像読取装置に設けられた結像系を挟んで耐震性が同じ支持部材で画像読取装置を支持する構成に比べて、読取画像に振動の影響が出るのを抑制することができる。
【００１７】
請求項５に記載の発明によれば、支持部材で周波数特性を異ならせない場合に比べて、広い周波数の振動を抑制することができる。
【００１８】
請求項６に記載の発明によれば、支持部材を光照射部の移動方向及び光の照射方向と垂直な方向で厚さを異ならせる構成に比べて、光照射部の移動方向及び光の照射方向と垂直な方向における画像読取を均一にすることができる。
【００１９】
請求項７に記載の発明によれば、画像読取装置を画像形成装置本体から離間させる際に、画像形成装置本体に設けられた支持部材の上面と下面の面積が同じ構成に比べて、画像読取装置が画像形成装置本体から離間し易くなる。
【図面の簡単な説明】
【００２０】
【図１】画像読取装置を備えた画像形成装置の全体構成を示す正面図である。
【図２】画像読取装置を備えた画像形成装置の一部を拡大して示す正面図である。
【図３】画像読取装置を画像形成装置本体から上方側へ離して示す正面図である。
【図４】画像読取装置を備えた画像形成装置の一部を拡大して示す側断面図である。
【図５】画像読取装置を備えた画像形成装置の一部を拡大して示す平断面図である。
【発明を実施するための形態】
【００２１】
以下、本発明に係る実施の形態について、図面を基に詳細に説明する。なお、図１に示されるように、画像形成装置１０を正面から見て、矢印ＲＩは右方向、矢印ＬＥは左方向、矢印ＵＰは上方向、矢印ＤＯは下方向とする。また、図４、図５に示されるように、画像読取装置１００を側面又は平面から見て、矢印ＦＲは前方向、矢印ＲＥは後方向とする。また、以下において、記録媒体（記録用紙Ｐ）の搬送方向上流側を、単に「上流側」と言い、記録媒体（記録用紙Ｐ）の搬送方向下流側を、単に「下流側」と言う場合がある。
【００２２】
図１に示されるように、画像形成装置１０は、複数のフレーム部材及びパネル部材で構成された筐体としての画像形成装置本体１０Ａを備えている。そして、画像形成装置本体１０Ａの下側には、記録媒体の一例としての記録用紙Ｐが収容される用紙収容部１２が配置されており、用紙収容部１２の上側には、後述する主動作部１６へ記録用紙Ｐを搬送する搬送部１４が配置されている。
【００２３】
搬送部１４の上側には、用紙収容部１２から供給される記録用紙Ｐに画像を形成する主動作部１６が配置されており、主動作部１６の上側には、原稿（図示省略）を読み取る画像読取装置１００が配置されている。また、主動作部１６内には、画像形成装置１０及び画像読取装置１００の各部の動作を制御する制御部１８が設けられている。
【００２４】
用紙収容部１２は、サイズの異なる記録用紙Ｐをそれぞれ収容可能な第１収容部２２、第２収容部２４、及び第３収容部２６を備えている。そして、搬送部１４は、第１収容部２２、第２収容部２４、及び第３収容部２６にそれぞれ収容されたサイズの異なる記録用紙Ｐを搬送する送出ロール３２、搬送ロール３４、３６、及び位置合わせロール３８等を備えている。
【００２５】
詳細に説明すると、第１収容部２２、第２収容部２４、及び第３収容部２６の左側上端部には、収容された記録用紙Ｐを１枚ずつ送り出す送出ロール３２がそれぞれ配置されている。そして、送出ロール３２の下流側には、送り出された記録用紙Ｐを搬送部１４の搬送路３０に搬送する搬送ロール３４がそれぞれ配置されている。
【００２６】
各搬送ロール３４の下流側における搬送路３０には、記録用紙Ｐを１枚ずつ搬送する搬送ロール３６が配置されている。そして、搬送ロール３６の下流側には、記録用紙Ｐを一旦停止させるとともに、決められたタイミングで、後述する二次転写位置へ記録用紙Ｐを送り出し、画像の転写位置を位置合わせする位置合わせロール３８が配置されている。
【００２７】
また、搬送路３０の後述する定着装置８０よりも下流側で、かつ排紙部２８よりも上流側には、記録用紙Ｐの裏面に画像を形成する際に、記録用紙Ｐが搬送及び反転される両面搬送路４０が接続されている。なお、搬送路３０と両面搬送路４０との間には、搬送路３０から両面搬送路４０へ記録用紙Ｐを導入させるための導入部材（図示省略）が設けられている。
【００２８】
両面搬送路４０は、画像形成装置１０の正面視において、下方へ向けて直線状に形成され、表面に画像が形成された記録用紙Ｐを一時的に貯留する反転部４２を備えている。そして、両面搬送路４０は、右方から左方へ向けて略直線状に形成され、反転部４２に貯留された記録用紙Ｐを再度搬送ロール３６へ供給する供給路４４を備えている。供給路４４によって搬送ロール３６へ再度送られた記録用紙Ｐは、後述する二次転写位置にて、その裏面にも画像が転写される。
【００２９】
図１、図２に示されるように、主動作部１６は、記録用紙Ｐ上にトナー画像を形成する画像形成部５０と、画像形成部５０によって記録用紙Ｐ上に形成されたトナー画像を熱と圧力により記録用紙Ｐに定着する定着装置８０と、を備えている。
【００３０】
画像形成部５０は、イエロー（Ｙ）、マゼンタ（Ｍ）、シアン（Ｃ）、及びブラック（Ｋ）の各トナーに対応した像保持体５４Ｙ、５４Ｍ、５４Ｃ、５４Ｋを備える画像形成ユニット５２Ｙ、５２Ｍ、５２Ｃ、５２Ｋと、像保持体５４Ｙ、５４Ｍ、５４Ｃ、５４Ｋの外周面へ光ビームＬを照射して、その外周面を露光する露光ユニット６２Ｙ、６２Ｍ、６２Ｃ、６２Ｋと、像保持体５４Ｙ、５４Ｍ、５４Ｃ、５４Ｋの外周面に形成されたトナー画像を記録用紙Ｐ上に転写する転写ユニット６４と、を含んで構成されている。
【００３１】
なお、以下において、イエロー（Ｙ）、マゼンタ（Ｍ）、シアン（Ｃ）、及びブラック（Ｋ）の各色を区別して説明する必要がある場合には、符号の数字の後にＹ、Ｍ、Ｃ、Ｋの何れかの英字を付して説明する。また、同様の構成で、Ｙ、Ｍ、Ｃ、Ｋを区別して説明する必要がない場合には、符号の数字の後のＹ、Ｍ、Ｃ、Ｋの英字を省略して説明する。
【００３２】
画像形成ユニット５２は、前後方向が軸方向とされ、モーター（図示省略）の駆動により矢印Ｒ方向（図示の時計回り方向）に回転可能とされた円柱状の像保持体５４と、像保持体５４の外周面と対向して、その回転方向上流側から下流側へ順に配置された帯電器５６、現像器５８、及びクリーニング装置６０と、を含んで構成されている。
【００３３】
露光ユニット６２は、光源（図示省略）から出射された光ビームＬを、図示しない回転多面鏡（ポリゴンミラー）で走査し、反射ミラー６３を含む複数の光学部品で反射して、像保持体５４の外周面へ照射する構成となっている。なお、像保持体５４は、露光ユニット６２の下方側に設けられている。
【００３４】
また、露光ユニット６２から出射された光ビームＬは、帯電器５６と現像器５８との間における像保持体５４の外周面に照射されるようになっている。更に、現像器５８とクリーニング装置６０との間における像保持体５４の外周面には、後述する中間転写ベルト６６が接触している。
【００３５】
帯電器５６は、一例として、ワイヤーに電圧を印加してコロナ放電により像保持体５４の外周面をトナーと同極性に帯電させるコロトロン方式の帯電手段で構成されている。そして、帯電した像保持体５４の外周面に画像データに基づいて光ビームＬが照射されることにより、静電潜像が形成されるようになっている。
【００３６】
現像器５８は、一例として、磁性体からなるキャリア粒子とマイナスに帯電したトナーとが混合された現像剤を収容しており、周方向に複数の磁極を有するマグネットロール（図示省略）が内側に設けられた円筒状の現像スリーブ５９を備えている。そして、現像器５８は、現像スリーブ５９が回転することにより像保持体５４と対向する部位で磁気ブラシを形成するようになっている。
【００３７】
更に、現像器５８は、電圧印加手段（図示省略）により現像スリーブ５９に現像バイアスが印加されることで、像保持体５４の外周面の静電潜像をトナーで顕在化させてトナー画像（現像剤像）を形成するようになっている。なお、各色の現像器５８には、画像形成部５０の上側に設けられた各色のトナーカートリッジ８８からそれぞれトナーが供給されるようになっている。
【００３８】
クリーニング装置６０は、像保持体５４の外周面と接触するクリーニングブレード６１を備えており、像保持体５４の外周面に残留したトナーをクリーニングブレード６１で掻き落として回収するようになっている。また、像保持体５４の回転方向で現像器５８よりも下流側には、現像器５８で現像されたトナー画像が一次転写される中間転写ベルト６６が設けられている。
【００３９】
図１に示されるように、転写ユニット６４は、無端状の中間転写ベルト６６と、像保持体５４から中間転写ベルト６６上にトナー画像を一次転写させる一次転写ロール６８と、中間転写ベルト６６上に順次重ねられたトナー画像を記録用紙Ｐへ二次転写させる二次転写ロール７０及び補助ロール７２と、を含んで構成されている。
【００４０】
また、中間転写ベルト６６の内側には、回転駆動される駆動ロール７４と、回転自在に構成された複数の従動ロール７６と、が配置されている。そして、中間転写ベルト６６は、一次転写ロール６８Ｙ、６８Ｍ、６８Ｃ、６８Ｋ、駆動ロール７４、従動ロール７６、及び補助ロール７２に巻き掛けられている。中間転写ベルト６６は、駆動ロール７４の回転駆動により、図示の反対時計回り方向に周回移動する構成になっている。
【００４１】
一次転写ロール６８は、一例として、ステンレス鋼などの金属で構成された円柱状のシャフトの周囲に弾性層（図示省略）が設けられた構成とされており、シャフトの両端部がベアリングで支持されることにより回転可能となっている。また、一次転写ロール６８は、電源（図示省略）からシャフトにトナーの極性とは逆極性の電圧（正の電圧）が印加されるようになっている。
【００４２】
二次転写ロール７０は、一例として、一次転写ロール６８と同様の構成とされており、搬送路３０における位置合わせロール３８の下流側に配置されて回転可能に構成されている。そして、二次転写ロール７０は、二次転写位置にて、補助ロール７２とで中間転写ベルト６６を挟むようにして、その中間転写ベルト６６の表面（外面）に接触している。なお、二次転写ロール７０は接地されている。
【００４３】
また、補助ロール７２は、二次転写ロール７０の対向電極を形成するようになっており、補助ロール７２の外周面に接触配置された金属製の給電ロール（図示省略）を介して二次転写電圧（負の電圧）が印加されるようになっている。そして、補助ロール７２に二次転写電圧が印加され、補助ロール７２と二次転写ロール７０との間に電位差が生じることにより、二次転写ロール７０と中間転写ベルト６６との接触部に搬送される記録用紙Ｐ上に中間転写ベルト６６上のトナー画像が二次転写されるようになっている。
【００４４】
また、二次転写ロール７０よりも下流側には、トナー画像の二次転写が終了した記録用紙Ｐを定着装置８０へ搬送する搬送ベルト７８が設けられている。搬送ベルト７８は、支持ロール４６と駆動ロール４８とに巻き掛けられており、定着装置８０へ記録用紙Ｐを搬送するように周回移動されている。
【００４５】
定着装置８０は、記録用紙Ｐに転写されたトナー画像を加熱して定着する定着ベルト８４を備えた加熱ベルト機構８２と、記録用紙Ｐを定着ベルト８４に向けて加圧する加圧ロール８６と、を有している。したがって、記録用紙Ｐに転写されたトナー画像は、定着ベルト８４と加圧ロール８６とによって記録用紙Ｐが搬送されつつ加熱及び加圧されることにより、その記録用紙Ｐに定着される。
【００４６】
次に、画像読取装置１００について説明する。図１に示されるように、画像読取装置１００は、複数枚の原稿（図示省略）を置くことが可能な原稿置台１０２と、原稿置台１０２に置かれた原稿を後述する原稿排出部１０８まで搬送する原稿搬送部１０３と、１枚の原稿が載せられるプラテンガラス１０４と、プラテンガラス１０４上に載せられた（原稿搬送部１０３によって搬送された）原稿を読み取る原稿読取部１０６と、読み取られた原稿が排出される原稿排出部１０８と、を備えている。
【００４７】
なお、原稿置台１０２と原稿搬送部１０３と原稿排出部１０８が、画像読取装置１００における開閉部の一例である。そして、図４に示されるように、原稿置台１０２と原稿搬送部１０３と原稿排出部１０８は、画像形成装置本体１０Ａの後壁１０Ｂ側及び画像読取装置本体１００Ａの後壁１００Ｂ側に設けられたヒンジ部１０５によって、プラテンガラス１０４を開閉可能に構成されている。
【００４８】
図２に示されるように、原稿読取部１０６は、複数のフレーム部材及びパネル部材で構成された筐体としての画像読取装置本体１００Ａを備えている。画像読取装置本体１００Ａ内には、プラテンガラス１０４上に載せられた原稿に、図２における左右方向に移動しながら光を照射する光照射部１１０と、光照射部１１０によって照射されて原稿で反射された反射光をプラテンガラス１０４と平行な方向に反射させて折り返す１個のフルレートミラー１１２及び２個のハーフレートミラー１１４と、が設けられている。
【００４９】
なお、光照射部１１０は、平面視で、移動方向と垂直な方向である、所謂主走査方向全体に光を照射するようになっている。また、原稿搬送部１０３によって搬送された原稿に光を照射する場合には、光照射部１１０は移動せず、固定配置されるようになっている。
【００５０】
更に、原稿読取部１０６は、フルレートミラー１１２及びハーフレートミラー１１４によって折り返された反射光が入射する結像レンズ１１６と、結像レンズ１１６によって結像された反射光を電気信号に変換する光電変換素子１１８と、を備えている。なお、結像レンズ１１６と対向して配置される光電変換素子１１８は、基板１２０に設けられている。また、少なくとも結像レンズ１１６と光電変換素子１１８（基板１２０）とを含んで結像系１２８が構成されており、結像系１２８は固定配置されている。
【００５１】
また、図２に示されるように、画像読取装置１００は、トナーカートリッジ８８の上側に設けられている。すなわち、トナーカートリッジ８８と画像読取装置１００との間には、画像形成装置本体１０Ａの上部を覆うパネル部材（図示省略）などが設けられておらず、画像読取装置１００は、トナーカートリッジ８８の上面側に直接的に配置されている。
【００５２】
詳細に説明すると、画像読取装置本体１００Ａにおいて、基板１２０が配置されている部位の直下における底壁は、他の部位の直下における底壁１２２よりも下方へ突出された突出底壁１２６とされている。なお、底壁１２２と突出底壁１２６とは連結壁１２４によって一体に連結されている。
【００５３】
そして、この突出底壁１２６が、トナーカートリッジ８８Ｙとトナーカートリッジ８８Ｍとの間に配置されるようにして（連結壁１２４がトナーカートリッジ８８と上下方向でオーバーラップするようにして）、画像読取装置本体１００Ａが、トナーカートリッジ８８Ｙ、８８Ｍ、８８Ｃ、８８Ｋの上面側に直接的に配置されている。したがって、トナーカートリッジ８８Ｙとトナーカートリッジ８８Ｍとの間の空隙部が、画像形成装置本体１０Ａに形成された、突出底壁１２６を受け入れる受入部２０となっている。
【００５４】
また、図３に示されるように、画像形成装置本体１０Ａの上部側の左右両端部（左右両側）には、左右方向内側へ向かう支持フレーム９２、９４がそれぞれ形成されている。そして、この画像形成装置本体１０Ａの支持フレーム９２、９４と、画像読取装置１００の底壁１２２を構成する後述する段差部１２２Ａ、１２２Ｂとは、上下方向でオーバーラップしている。
【００５５】
詳細に説明すると、支持フレーム９２、９４の一部を形成する第１壁の一例としての縦壁９２Ａ、９４Ａは、段差部１２２Ａ、１２２Ｂの一部を形成する第２壁の一例としての縦壁１２２Ｃ、１２２Ｄと、後述する支持部材１３２、１３４を挟んで上下方向でオーバーラップしている。なお、縦壁９２Ａ、９４Ａと縦壁１２２Ｃ、１２２Ｄは、板金を下方又は上方へ垂直に折り曲げることによって形成されている。
【００５６】
更に、各支持フレーム９２、９４の縦壁９２Ａ、９４Ａよりも左右方向内側端部には、折曲構造部の一例としての補強部９３、９５が形成されている。各補強部９３、９５は、正面視で、縦壁９２Ａ、９４Ａを含んで、上方へ開口する断面略「Ｕ」字状をなすように折り曲げ成形されて構成されており、前後方向に亘って形成されている。
【００５７】
この縦壁９２Ａ、９４Ａを含む補強部９３、９５により、前後方向に亘る長さの凹溝部９６、９８が形成され、各支持フレーム９２、９４の左右方向内側端部が補強されるようになっている。すなわち、各補強部９３、９５（各凹溝部９６、９８）により、後述する支持部材１３２、１３４を支持する支持フレーム９２、９４の剛性が確保される（強度が向上される）ようになっている。
【００５８】
図３〜図５に示されるように、画像形成装置本体１０Ａの凹溝部９６、９８内には、画像形成装置本体１０Ａに対して画像読取装置１００を支持する左右一対の支持部材１３２、１３４がそれぞれ複数配置されている。つまり、各支持部材１３２、１３４は、それぞれ前後方向に予め決められた間隔を隔てて同じ厚みのものが複数設けられている（図示省略）。これにより、前後方向（主走査方向）では、支持する面及び支持される面の高さが、それぞれ一定となっている。
【００５９】
なお、各支持部材１３２、１３４は、光照射部１１０と結像系１２８を挟んで配置されている。また、各支持部材１３２、１３４は、円錐台形状（柱状）に弾性体（一例としてゴム材）で形成されており、結像系１２８に近い右側（左右方向一方側）の支持部材１３４は、左側（左右方向他方側）の支持部材１３２よりも厚く（高さが高く）形成されている。
【００６０】
左右の凹溝部９６、９８内における上面の高さ位置は同一とされており、各支持部材１３２、１３４は、凹溝部９６、９８内の上面に両面テープ等の接合手段によって接合されることで取り付けられている。そして、画像読取装置本体１００Ａの底壁１２２の左右方向両端部には、各支持部材１３２、１３４にそれぞれ支持される段差部１２２Ａ、１２２Ｂが形成されている。
【００６１】
各段差部１２２Ａ、１２２Ｂは、上方へ向かって凹むように形成されており、その前部側及び後部側が、それぞれ画像形成装置本体１０Ａの前部側に設けられた左右一対の支持部材１３２、１３４及び後部側に設けられた左右一対の支持部材１３２、１３４に支持されている。
【００６２】
したがって、支持部材１３４によって支持される段差部１２２Ｂは、支持部材１３２によって支持される段差部１２２Ａよりも上方へ向かって深く形成されている。これにより、画像読取装置１００が、画像形成装置本体１０Ａの上部側（トナーカートリッジ８８の上面側）に水平に配置されるようになっている。
【００６３】
また、凹溝部９６、９８内の上面における予め決められた位置には、上方へ向かって円錐台形状に盛り上がるボス部９７、９９が、それぞれ一体に形成されている。そして、各支持部材１３２、１３４の底部には、各ボス部９７、９９が嵌合される円錐台形状の凹部１３３、１３５がそれぞれ形成されている。
【００６４】
したがって、各支持部材１３２、１３４は、各ボス部９７、９９に各凹部１３３、１３５が嵌合されることで位置決めされて、各凹溝部９６、９８内の上面に接合されている。なお、ボス部９７、９９及び凹部１３３、１３５の形状は、図示の円錐台形状に限定されるものではない。
【００６５】
また、画像読取装置１００は、画像読取装置本体１００Ａの底壁１２２に形成された各段差部１２２Ａ、１２２Ｂにおける下面が、各支持部材１３２、１３４の上面１３２Ａ、１３４Ａに載せられるだけで、各支持部材１３２、１３４の上面１３２Ａ、１３４Ａに接合されない構成になっている。そのため、各支持部材１３２、１３４は、円錐台形状に形成されて、上面１３２Ａ、１３４Ａの面積が下面１３２Ｂ、１３４Ｂの面積よりも小さくされている。
【００６６】
つまり、画像読取装置本体１００Ａの底壁１２２（各段差部１２２Ａ、１２２Ｂ）に対する各支持部材１３２、１３４の上面１３２Ａ、１３４Ａの接触面積を低減することで、画像読取装置本体１００Ａが、経時によって各支持部材１３２、１３４の上面１３２Ａ、１３４Ａに吸着されてしまうのを抑制又は防止するようにしている。
【００６７】
また、図４、図５に示されるように、画像形成装置本体１０Ａの後壁１０Ｂ側には、前後方向を向く（ヒンジ部１０５の回転軸方向に沿った）平板状の第１立壁９０が配置されている。そして、画像読取装置本体１００Ａの後壁１００Ｂ側で、かつ第１立壁９０よりも前方側には、前後方向を向く（ヒンジ部１０５の回転軸方向に沿った）平板状の第２立壁１３０が配置されている。
【００６８】
第１立壁９０の上端部は、画像形成装置本体１０Ａの支持フレーム９２、９４に接合されており、第２立壁１３０の下端部は、画像読取装置本体１００Ａの底壁１２２（段差部１２２Ａ、１２２Ｂ）に接合されている。そして、後壁１０Ｂ、１００Ｂ側の各支持部材１３２、１３４は、側面視及び平面視で、第１立壁９０と第２立壁１３０とに前後方向でオーバーラップするように設けられている。
【００６９】
詳細に説明すると、後壁１０Ｂ、１００Ｂ側の各支持部材１３２、１３４の上面１３２Ａ、１３４Ａにおける前端部は、第２立壁１３０の直下に配置され、後壁１０Ｂ、１００Ｂ側の各支持部材１３２、１３４の下面１３２Ｂ、１３４Ｂにおける後端部は、第１立壁９０の直上に配置されている。
【００７０】
これにより、原稿置台１０２と原稿搬送部１０３と原稿排出部１０８の前部側が、ヒンジ部１０５を回転支点として持ち上げられたときでも（プラテンガラス１０４が開放されたときでも）、原稿置台１０２と原稿搬送部１０３と原稿排出部１０８を支える画像形成装置本体１０Ａの上部側で、かつ後壁１０Ｂ側の支持剛性（強度）が確保されるようになっている。
【００７１】
以上のような構成とされた支持部材１３２、１３４を備えた画像形成装置１０において、次に、その作用（主に支持部材１３２、１３４の作用）について説明する。
【００７２】
原稿をコピー（又はスキャン）する際には、原稿を画像読取装置１００の原稿置台１０２に置くか、又はプラテンガラス１０４上に置き、図示しない操作パネルを操作して、コピー（又はスキャン）を開始する。すなわち、原稿読取部１０６によって原稿を読み取る。そして、読み取った画像データを主動作部１６へ送る。
【００７３】
すると、各像保持体５４の外周面が、各帯電器５６によって帯電されるとともに、送られた画像データに応じて各露光ユニット６２から出射された光ビームＬによって露光される。これにより、各像保持体５４の外周面に静電潜像が形成される。そして、各像保持体５４の外周面に形成された静電潜像は、各現像器５８によって、それぞれイエロー（Ｙ）、マゼンタ（Ｍ）、シアン（Ｃ）、及びブラック（Ｋ）の各色のトナー画像として現像される。
【００７４】
次いで、各像保持体５４の外周面に形成された各トナー画像は、一次転写位置にて、各一次転写ロール６８によって中間転写ベルト６６上に順次転写される。そして、中間転写ベルト６６上に多重転写されたトナー画像は、二次転写位置にて、搬送路３０を搬送されて来た記録用紙Ｐの表面に二次転写ロール７０及び補助ロール７２によって二次転写される。
【００７５】
トナー画像が表面に転写された記録用紙Ｐは、搬送ベルト７８により定着装置８０に向けて搬送される。そして、定着装置８０により、記録用紙Ｐの表面のトナー画像が加熱及び加圧される。これにより、トナー画像が記録用紙Ｐの表面に定着される。トナー画像が定着された記録用紙Ｐは、排紙部２８に排出される。こうして、一連の画像形成工程が完了する。
【００７６】
なお、記録用紙Ｐの画像が形成されていない裏面にトナー画像を形成する場合（両面印刷の場合）には、表面にトナー画像が定着された記録用紙Ｐが両面搬送路４０に送り込まれる。そして、その記録用紙Ｐは、両面搬送路４０によって再度搬送ロール３６へ搬送され、二次転写位置にて、裏面にトナー画像が転写される。裏面にトナー画像が転写された記録用紙Ｐは、定着装置８０により、そのトナー画像が定着され、その後、排紙部２８に排出される。
【００７７】
ここで、図２に示されるように、画像読取装置本体１００Ａと画像形成装置本体１０Ａとの間には、パネル部材などが設けられておらず、かつ画像読取装置本体１００Ａの突出底壁１２６は、トナーカートリッジ８８Ｙとトナーカートリッジ８８Ｍの間の受入部２０に配置されている。そして、縦壁９２Ａ、９４Ａと縦壁１２２Ｃ、１２２Ｄとが上下方向でオーバーラップしている。
【００７８】
したがって、画像形成の高速化や画像の高画質化、更には消耗品の長寿命化等を図ることにより、主動作部１６の領域が拡大されても、画像読取装置本体１００Ａと画像形成装置本体１０Ａとの間にパネル部材が設けられている構成に比べて、床からの画像読取装置１００の高さ位置が高くなるのが抑制又は防止される。
【００７９】
つまり、画像読取装置１００に対する操作性を損なうことなく、画像形成の高速化等が実現される。なお、画像読取装置本体１００Ａと画像形成装置本体１０Ａとの間には、パネル部材などが設けられない構成であるため、パネル部材が設けられる構成に比べて、製造コストの低減が図れる利点もある。
【００８０】
一方、画像読取装置本体１００Ａと画像形成装置本体１０Ａとの間に、パネル部材などが設けられない構成であると、画像読取装置１００を支持する画像形成装置本体１０Ａの上部側の剛性（強度）が低下するおそれがある。特に、原稿置台１０２と原稿搬送部１０３と原稿排出部１０８の前部側を、プラテンガラス１０４を開放させるために持ち上げたときなどに、それらの重量が掛かる後壁１０Ｂ側の支持剛性が確保されないおそれがある。
【００８１】
しかしながら、画像形成装置本体１０Ａ及び画像読取装置本体１００Ａの後壁１０Ｂ、１００Ｂ側における各支持部材１３２、１３４は、側面視及び平面視で、それぞれの下面１３２Ｂ、１３４Ｂ側が第１立壁９０に前後方向でオーバーラップし、それぞれの上面１３２Ａ、１３４Ａ側が第２立壁１３０に前後方向でオーバーラップしている。したがって、画像形成装置本体１０Ａの上部側で、かつ後壁１０Ｂ側の剛性（強度）が特に向上される。
【００８２】
しかも、画像形成装置本体１０Ａの上部側には、第１立壁９０の上端部が接合される支持フレーム９２、９４が左右方向内側へ延在されており、各支持フレーム９２、９４の左右方向内側端部には、前後方向に延在する折曲構造の補強部９３、９５が一体に形成されている。つまり、各補強部９３、９５によって剛性（強度）が向上された各凹溝部９６、９８内の上面に、画像読取装置１００を支持するゴム製の支持部材１３２、１３４が取り付けられている。
【００８３】
したがって、画像読取装置本体１００Ａと画像形成装置本体１０Ａとの間に、パネル部材などが設けられない構成であっても、画像形成装置本体１０Ａの上部側の剛性（強度）の低下が抑制又は防止される。換言すれば、画像読取装置本体１００Ａと画像形成装置本体１０Ａとの間に、パネル部材などが設けられない構成であっても、画像読取装置１００を支持する画像形成装置本体１０Ａの上部側の塑性変形が抑制又は防止される。
【００８４】
また、本実施形態では、支持部材１３２と支持部材１３４とは同じ材料を使用しているが、画像読取装置１００に設けられた結像系１２８に近い右側（左右方向一方側）の支持部材１３４の耐震性を高める一形態として、右側の支持部材１３４は、左側（左右方向他方側）の支持部材１３２よりも厚く形成されている。
【００８５】
これにより、画像形成装置本体１０Ａ側から画像読取装置１００側へ加えられる振動が、その画像読取装置１００の結像系１２８に伝達されるのが抑制又は防止される。よって、その振動に起因する画像欠陥（線揺らぎや色ずれなど）の発生が抑制又は防止される。
【００８６】
また、本実施形態では、支持部材１３２と支持部材１３４とをゴム材によって形成しているが、支持部材１３２と支持部材１３４の厚さを変えたことにより、それぞれの周波数特性を異ならせられるため、画像読取装置本体１００Ａが持つ周波数特性（共振）に対して、より広い範囲の振動周波数に防振効果が発揮される。
【００８７】
また、本実施形態では、各支持部材１３２、１３４の上面１３２Ａ、１３４Ａの面積が下面１３２Ｂ、１３４Ｂの面積よりも小さくされている。したがって、画像形成装置１０をメンテナンスするときなど、画像読取装置１００を画像形成装置本体１０Ａから取り外すときに、画像読取装置１００が、各支持部材１３２、１３４の上面１３２Ａ、１３４Ａに経時によって吸着されて、取り外し難くなるのが抑制又は防止される。
【００８８】
なお、各支持部材１３２、１３４の下面１３２Ｂ、１３４Ｂの面積が上面１３２Ａ、１３４Ａの面積よりも大きくされることにより、各凹溝部９６、９８内の上面に対して、各支持部材１３２、１３４の下面１３２Ｂ、１３４Ｂの接合面積が適切に確保される利点もある。
【００８９】
以上、本実施形態に係る画像形成装置１０について、図面を基に説明したが、本実施形態に係る画像形成装置１０は、図示のものに限定されるものではなく、本発明の要旨を逸脱しない範囲内において、適宜設計変更可能なものである。例えば、支持部材１３２、１３４は、画像形成装置本体１０Ａの支持フレーム９２、９４に形成された凹溝部９６、９８内の上面ではなく、画像読取装置本体１００Ａの底壁１２２に形成された段差部１２２Ａ、１２２Ｂの下面に取り付けられる構成とされてもよい。
【００９０】
また、本実施形態は、結像系１２８も光照射部１１０と共に移動するＣＩＳタイプの原稿読取部１０６に適用してもよい。また、耐震性を異ならせたり、周波数特性を異ならせたりする構成は、ゴム材の厚みを異ならせる方法に限定されるものではなく、形状を異ならせたり、弾性率を異ならせたり、ゴム材の硬度を異ならせたりしてもよい。
【符号の説明】
【００９１】
１０  画像形成装置
１０Ａ  画像形成装置本体
５０  画像形成部
９０  第１立壁
９２Ａ  縦壁（第１壁の一例）
９３  補強部
９４Ａ  縦壁（第１壁の一例）
９５  補強部
１００  画像読取装置
１０２  原稿置台（開閉部の一例）
１０３  原稿搬送部（開閉部の一例）
１０４  プラテンガラス
１０５  ヒンジ部
１０８  原稿排出部（開閉部の一例）
１２２Ｃ  縦壁（第２壁の一例）
１２２Ｄ  縦壁（第２壁の一例）
１２８  結像系
１３０  第２立壁
１３２  支持部材
１３４  支持部材
【図１】
2015186133.tif 000003
【図２】
2015186133.tif 000004
【図３】
2015186133.tif 000005
【図４】
2015186133.tif 000006
【図５】
2015186133.tif 000007